(57)【特許請求の範囲】
【請求項１】
水中の侵食性遊離炭酸を取り除く遊離炭酸除去装置において、
対となる電極と、これらの電極間に交流電圧を印加する電圧印加手段と、水に炭酸カルシウムまたは消石灰を溶解させる溶解手段とを有し、
処理対象の水に前記電極および前記電圧印加手段によって交流電流を流す電気処理と前記溶解手段によって炭酸カルシウムまたは消石灰を溶解させる溶解処理とを施す
ことを特徴とする遊離炭酸除去装置。
【請求項２】
処理対象の水を連続通水しながら前記電気処理および前記溶解処理を施す
ことを特徴とする請求項１に記載の遊離炭酸除去装置。
【請求項３】
前記電圧印加手段は、印加電圧と周波数の双方または一方を設定変更し得るものである
ことを特徴とする請求項１に記載の遊離炭酸除去装置。
【請求項４】
前記電気処理と前記溶解処理とを施した後の水のランゲリア指数またはこれに代わるものの値を測る吐水計測手段を有し、
前記電圧印加手段は、前記吐水計測手段の計測値が所定値になるように印加電圧と周波数の双方またはいずれか一方を制御する
ことを特徴とする請求項１または２に記載の遊離炭酸除去装置。
【請求項５】
入水のランゲリア指数またはこれに代わるものの値を測る入水計測手段を有し、
前記電圧印加手段は、前記入水計測手段の計測値に基づいて印加電圧と周波数の双方またはいずれか一方を制御する
ことを特徴とする請求項１、２、３または４に記載の遊離炭酸除去装置。
【発明の詳細な説明】
【０００１】
【発明の属する技術分野】
本発明は、水中の侵食性遊離炭酸を取り除く遊離炭酸除去装置に関する。
【０００２】
【従来の技術】
井戸水等を水源に用いた上水には、雨水等の河川水を水源とする上水に比べて、多くの二酸化炭素が（多くはＣＯ２のままで、一部は分子状の炭酸Ｈ２ＣＯ３の形で、さらにごく一部は解離したＨ＋、ＨＣＯ３-の形で）含まれている。このうち、水に炭酸水素塩を溶存させておくために必要な量の二酸化炭素（従属性遊離炭酸）を除いた残りの二酸化炭素が、金属等を腐食させる浸食性遊離炭酸となり、給湯器の水管等を腐食させる原因になっている。
【０００３】
水道水については、１９９２年厚生省生活衛生局水道環境部長通知「水道水質に関する基準の制定について」の中でランゲリア指数の目標値を「−１程度以上とし、極力０に近づける」とするように規定されている。水中のＣＯ２を除去してランゲリア指数を改善する方法としては、水に炭酸カルシウムを加えて、
ＣａＣＯ３＋ＣＯ２＋Ｈ２Ｏ→Ｃａ（ＨＣＯ３）２  …（１）式
という化学反応を起こさせることが一般に行われる。また（１）式の反応は右方向へ進み難いので、反応を促進するために、原水を炭酸カルシウムの充填塔に通水させるだけではだめで、消石灰を１０００ｐｐｍ以上の水溶液として注入したり消石灰や炭酸カルシウムをスラリー化して注入後、大型の調整槽で十分反応させる必要があり、またエアレーション等の付随処理も行われる。これらの方法を用いて水中のＣＯ２濃度を改善する装置としては「消石灰注入装置」や「消石灰・炭酸ガス注入装置」がある。
【０００４】
【発明が解決しようとする課題】
従来の「消石灰注入装置」や「消石灰・炭酸ガス注入装置」は、（１）式の化学反応を右方向へ促進するための、アルカリ注入やエアレーション等の付随処理を必要とするため、装置が高価で大型なものになり、これが先の通知に対する水道事業者の適切な対応を遅らせる要因になっていた。
【０００５】
本発明は、このような従来の技術が有する問題点に着目してなされたもので、水中の侵食性遊離炭酸を除去することのできる小型で安価な遊離炭酸除去装置を提供することを目的としている。
【０００６】
【課題を解決するための手段】
かかる目的を達成するための本発明の要旨とするところは、次の各項の発明に存する。
［１］水中の侵食性遊離炭酸を取り除く遊離炭酸除去装置において、
対となる電極（２０）と、これらの電極間に交流電圧を印加する電圧印加手段（３０）と、水に炭酸カルシウムまたは消石灰等（苛性ソーダやソーダ灰等も含む）を溶解させる溶解手段（４０）とを有し、
処理対象の水に前記電極（２０）および前記電圧印加手段（３０）によって交流電流を流す電気処理と前記溶解手段（４０）によって炭酸カルシウムまたは消石灰を溶解させる溶解処理とを施す
ことを特徴とする遊離炭酸除去装置。
【０００７】
［２］処理対象の水を連続通水しながら前記電気処理および前記溶解処理を施す
ことを特徴とする［１］に記載の遊離炭酸除去装置。
【０００８】
［３］前記電圧印加手段（３０）は、印加電圧と周波数の双方または一方を設定変更し得るものである
ことを特徴とする［１］に記載の遊離炭酸除去装置。
【０００９】
［４］前記電気処理と前記溶解処理とを施した後の水のランゲリア指数またはこれに代わるものの値を測る吐水計測手段（６０）を有し、
前記電圧印加手段（３０）は、前記吐水計測手段（６０）の計測値が所定値になるように印加電圧と周波数の双方またはいずれか一方を制御する
ことを特徴とする［１］または［２］に記載の遊離炭酸除去装置。
【００１０】
［５］入水のランゲリア指数またはこれに代わるものの値を測る入水計測手段（５０）を有し、
前記電圧印加手段（３０）は、前記入水計測手段（５０）の計測値に基づいて印加電圧と周波数の双方またはいずれか一方を制御する
ことを特徴とする［１］、［２］、［３］または［４］に記載の遊離炭酸除去装置。
【００１１】
前記本発明は次のように作用する。
遊離炭酸除去装置は、処理対象の水に交流電流を流す電気処理と、炭酸カルシウムまたは消石灰を溶解させる溶解処理とを施す。水に交流電流を流す電気処理を施すことにより、（１）式の化学反応が右方向へ促進され、水中の二酸化炭酸（侵食性遊離炭酸）を効率よく除去することができる。
【００１２】
これは、Ｈ２Ｏの分子のクラスターが電気処理を施すことにより数十個（２０〜３０位）の集合体であったものから十数個から数個の集合体へと小さくなり、反応にかかわるＨ２Ｏの分子数が増加することに因ると考えられる。また電気処理を施すことにより、Ｈ２Ｏの分子の角度が処理前の１０８度から他の角度に変化することが分かっており、これが先の化学反応を促進させる一因であるとも考えられる。なお、遊離炭酸処理装置から出た後は、（１）式の化学反応が左方向へゆるやかに進行し、炭酸カルシウムが析出して皮膜が管壁等に付着し、水と管壁との接触を断つので、防食効果を得ることができる。
【００１３】
電気処理と、溶解処理の順序は、問わない。すなわち、電気処理を施した後に溶解処理を施しても良いし、溶解処理の後に電気処理を施しても良い。さらには、これらの処理を同一箇所で同時に施すように構成してもよい。溶解処理の後に電気処理を施す場合には、溶解処理において溶けずにそのまま水中に流出した炭酸カルシウムが、後に施される電気処理で（１）式の反応が促進されることによって溶解することになる。つまり、スラリー状にした炭酸カルシウムを注入したような場合、従来は原水と反応させる調整槽が必要であったが、これが不要又は小型化できる。
【００１４】
このように、水に交流電流を流す電気処理を施すことによって、水に炭酸カルシウムや消石灰を溶解する溶解処理が促進され、多くの侵食性遊離炭酸を効率良く水酸化塩に変化させることができる。その結果、炭酸カルシウム等の溶解反応を充分行わせるために長時間水槽に貯留する処理や、反応を促進するために炭酸カルシウムの水溶液を予め作成して混合する処理や、エアレーション処理など従来行われていた付随的処理が不要となり、装置の小型化と低価格化を図ることができる。また、電気処理を施すことにより、溶解処理が促進されるので、処理対象の水を連続通水しながら電気処理および溶解処理を施すことができる。
【００１５】
すなわち、従来は、炭酸カルシウムを細かくしたり二酸化炭素を増やすことで反応を促進させようとしていたのに対し、本発明は、触媒を用いることなく電気処理で水の性質を変化させる（反応に係わるＨ２Ｏの分子を増やす等）ことによって（１）式の反応を促進させるものである。
【００１６】
電圧印加手段（３０）による印加電圧と周波数の双方または一方を設定変更し得るように構成したものでは、電気処理と溶解処理とを施した後の水のランゲリア指数が適切な値になるように調整することができる。すなわち、電極間に印加する電圧や周波数を変えると、（１）式の反応が右方向へ促進される程度が変化するので、印加電圧等を調整可能な構成にすることで、処理後の水のランゲリア指数を適切な値に調整することが可能になる。このように、印加電圧や周波数を変更することで（１）式の反応が右方向へ促進される程度が変化するのは、クラスターを構成する水の分子数や分子の角度が印加電圧や周波数に依存して変化することに因るものと考えられる。
【００１７】
電気処理と溶解処理とを施した後の水のランゲリア指数またはこれに代わるものの値（たとえば、カルシウム硬度や二酸化炭素の濃度）を吐水計測手段（６０）で計測し、その計測値が所定値になるように電圧印加手段（３０）による印加電圧と周波数の双方またはいずれか一方をフィードバック制御するものでは、吐出する水の水質を好ましいランゲリア指数に自動調整することができる。
【００１８】
さらに、電気処理や溶解処理を施す前の入水のランゲリア指数またはこれに代わるものの値を入水計測手段（５０）で計測し、その計測値に基づいて電圧印加手段（３０）による印加電圧と周波数の双方またはいずれか一方をフィードフォワード制御するものでは、好ましいランゲリア指数の水を当初から吐出することが可能になる。たとえば、ランゲリア指数に代わるものとして水のカルシウム硬度を計測する場合には、井戸水の硬度がほぼカルシウム硬度に依存していることから、吐水計測手段（６０）や入水計測手段（５０）として、硬度計を用いることができる。
【００１９】
【発明の実施の形態】
以下、図面に基づき本発明の一実施の形態を説明する。図１は、本発明の一実施の形態にかかる遊離炭酸除去装置１０の概略構成を示している。遊離炭酸除去装置１０は、ポンプ１２と、水路中に対向配置された２枚の電極２０と、電極２０に交流電圧を印加する電圧印加手段３０と、顆粒状の炭酸カルシウムを収容した溶解手段としての溶解水槽４０と、入水計測手段５０と、吐水計測手段６０とを有している。図中の太線の矢印は、処理対象の水が流れる経路を示している。
【００２０】
ポンプ１２は、井戸水等の原水を図示省略の取水口から取り入れるとともに、取り入れた水が２枚の電極２０の間および溶解水槽４０を経由して図示省略の吐水口から排出されるように送り出す機能を果たすものである。電圧印加手段３０は、２枚の電極２０の間に交流電圧を印加するものである。電圧印加手段３０は、制御回路３１と発信回路３２とドライブ回路３３とを備えている。発信回路３２は、交流信号を生成するものであり、制御回路３１は、発信回路３２の生成する交流信号の周波数と電圧を制御するものである。ドライブ回路３３は、発信回路３２の生成した交流信号を増幅して電極２０に印加するものである。
【００２１】
溶解水槽４０は、電極２０の間を通過することで電気処理が施された後の水に、炭酸カルシウムまたは消石灰を溶解させる溶解処理を行うための水槽であり、顆粒状の炭酸カルシウムが収容又は消石灰が投入される。溶解水槽４０は、下部に入水口４１を、上部に出水口４２を有している。また溶解水槽４０は、図示省略の上蓋を開いて炭酸カルシウムや消石灰を補給することが可能になっている。なお、炭酸カルシウムとして、たとえば、通常は廃棄物として処理される、牡蠣やあこや貝の貝殻を使用してもよい。また消石灰に代えて苛性ソーダ、ソーダ灰を使用してもよい。
【００２２】
入水計測手段５０は、電気処理や溶解処理が施される前の入水（原水）のランゲリア指数またはこれに代わるものの値を測定するものである。吐水計測手段６０は、電気処理および溶解処理が施された後の水のランゲリア指数またはこれに代わるものの値を測定するものである。たとえば、ランゲリア指数に代えて、カルシウム硬度を測定する場合には、通常、井戸水等の硬度が、ほぼカルシウム硬度に依存していることから、入水計測手段５０や吐水計測手段６０として硬度計を用いることができる。またランゲリア指数に代えて、水中の二酸化炭素の濃度を用いてもよい。水中の二酸化炭素濃度が極めて大きい（たとえば１０ｐｐｍ以上の遊離炭酸がある）場合には、ランゲリア指数を改善する必要があると考えられ、地下水源を用いている場合にはその濃度が３０ｐｐｍ程度にも達することから、この濃度により交流電圧や周波数を調整する等である。
【００２３】
電圧印加手段３０の制御回路３１は、入水計測手段５０の計測値に基づいて、電極２０に印加する電圧と周波数とをフィードフォワード制御する機能と、吐水計測手段６０の計測値が所定値になるように電極２０に印加する電圧と周波数とをフィードバック制御する機能を有している。電圧印加手段３０は、２枚の電極２０の間に印加する電圧を、実効電圧で０．５ボルト〜１０．０ボルトの範囲で、また周波数を３０Ｈｚ〜１０ｋＨｚの間で制御し得るようになっている。
【００２４】
図２は、電極２０が取り付けられた電圧印加用水管２２を示している。電圧印加用水管２２の管内には、ステンレス材等で形成された２枚の電極２０が対向配置されている。これら電極２０の中央付近には、ドライブ回路３３からの給電用リード線を接続するための電極接続部２３が形成されている。電圧印加用水管２２の両端には他の水管２９と接続するための継手２４が形成されている。遊離炭酸除去装置１０において、原水を取り込むための図示省略の取水口とポンプ１２の入側との間、ポンプ１２の出側と電圧印加用水管２２の一端との間、電圧印加用水管２２の他端と溶解水槽４０の入水口４１との間、溶解水槽４０の出水口４２と図示省略の吐出口との間がそれぞれ水管で接続されている。
【００２５】
ランゲリア指数（飽和指数…ＳＩ）は、ＳＩ＝ｐＨ−ｐＨｓ…（２）式、で表される。（２）式において、ｐＨは水の実際のｐＨで、ｐＨｓは飽和ｐＨである。ｐＨｓは、（１）式に示す化学反応の右方向への進行と左方向への進行とが平衡状態になる際の水のｐＨである。ＳＩ＞＝０ならば、その水には腐食性がなく、ＳＩ＜０ならば腐食性を呈する。ｐＨｓは、ｐＨｓ＝（９．３＋Ａ＋Ｂ）−（Ｃ＋Ｄ）…（３）式、で求めることができる。（３）式のＡは蒸発残留物係数、Ｂは温度係数、Ｃはカルシウム硬度係数、Ｄはアルカリ度である。Ａ，Ｂ、Ｃ、Ｄの各係数は、対象となる水の分析値と図３に示す換算表とから求めることができる。
【００２６】
なお、ランゲリア指数に代わるものとして、カルシウム硬度を用いたり、カルシウム硬度と水温との２つに基づく値を用いたりしてもよい。図３に示すように、蒸発残留物係数Ａの値は、その変化幅が少なく、（３）式で求めるランゲリア指数に大きな影響を与えないからである。また井戸水の場合、水温は安定しているので、水温の測定を省略してもよい。さらに井戸水や上水の水源は通常、内陸部にあり、したがって水源となる水の硬度は、ナトリウムを考える必要がなく、ほぼカルシウム硬度に依存しているので、カルシウム硬度に代えて、硬度計で測定した硬度を用いてもよい。このほか、ランゲリア指数に代えて、水中の二酸化炭素濃度を用いてもよい。すなわち、二酸化炭素濃度が所定値以上の場合には、侵食性遊離炭酸が存在すると判断して交流電圧や周波数を制御する等である。またｐＨを用いる方法もあるが、ｐＨは二酸化炭素濃度により酸性方向へ動き、又、カルシウム（又はナトリウム）濃度によりアルカリ方向に動くので、どちらか一方が安定な原水の場合のみｐＨを使用してもよい。ただし、浄水場の場所が海に近く又水源として表流水（河川）と地下水源（井水）とをブレンドし、又は必要に応じてブレンド比を変えるような場合には、できるだけ多くのパラメーター、できればランゲリア指数を求めることが望ましい。
【００２７】
次に作用を説明する。
遊離炭酸除去装置１０は、ポンプ１２によって取水口から原水を取り込む。取り込まれた水は、電圧印加用水管２２の中に対向配置された電極２０の間を通過した後、入水口４１から出水口４２へと溶解水槽４０を経由し、遊離炭酸除去装置１０の吐出口から流出する。入水計測手段５０は、取水口から取り込まれた原水のランゲリア指数またはこれに代わるものとしてカルシウム硬度を計測する。電圧印加手段３０の制御回路３１は、入水計測手段５０の計測値に基づき、電極２０の間に印加する交流電圧および周波数をフィードフォワード制御する。制御回路３１は、吐出口でのランゲリア指数が目標値になるために設定すべき印加電圧およびまたは周波数と入水計測手段５０の計測値との対応関係を示すデータであって予め実験により求めたものを記憶している。制御回路３１は、入水計測手段５０の計測値に基づいて先のデータを参照して適切な印加電圧と周波数の値を求めてフィードフォワード制御する。
【００２８】
また溶解水槽４０の出水口４２から出た水のランゲリア指数またはこれに代わるものの値を吐水計測手段６０で計測しており、制御回路３１はこの計測値が予め定めた目標値になるように、２枚の電極２０の間に印加する交流信号の電圧と周波数とをフィードバック制御している。ここでは、ランゲリア指数の目標値を−１〜＋０．８の間の所定値に設定してある。
【００２９】
電圧印加用水管２２の内部に配置された２枚の電極２０の間を通過する際に、水の性質が変化する。その結果、溶解水槽４０の通過時または通過後に生じる（１）式の化学反応が右方向へ促進され、侵食性遊離炭酸が効率よく充分に除去される。これは、水に交流電流を流すとＨ２Ｏの分子のクラスターが数十個（２０〜３０位）の集合体から十数個から数個の集合体へと小さくなり、（１）式の化学反応にかかわるＨ２Ｏの分子数が増加することに因る。また水に交流電流を流すことによって、Ｈ２Ｏの分子の角度が処理前の１０８度から他の角度に変化することが分かっており、これが先の化学反応を右方向へ促進させる一因であると考えられる。
【００３０】
（１）式の化学反応の右方向への促進の程度は、印加する電圧や周波数によって変化する。したがって、吐水計測手段６０の計測値に基づいて印加電圧や周波数を制御することにより、ランゲリア指数が目標値に調整された水を吐出することができる。また、反応の程度を印加電圧と周波数によって制御できるので、溶解水槽４０の中に収容する炭酸カルシウム量は、必要量以上であれば、任意の量で良い。その結果、溶解水槽４０への炭酸カルシウムの補給が容易になるとともに、連続処理が可能になる。
【００３１】
たとえば、遊離炭酸除去装置１０によって処理する前のある水は、蒸発残留物が５０〜３００ｍｇ／ｌであり、図３より蒸発残留物係数Ａは０．１であった。また温度は１８〜２１℃の間にあって温度係数Ｂは２．１であった。カルシウム硬度は、５６〜６９ｍｇＣａＣＯ３／ｌであってカルシウム硬度係数Ｃは１．４であった。アルカリ度Ｄは１．６、ｐＨは７．１であった。これらを（３）式に代入するとｐＨｓ＝（９．３＋０．１＋２．１）−（１．４＋１．６）＝８．５になる。また（２）式からこの水のランゲリア指数は、ＳＩ＝７．１−８．５＝−１．４になる。したがってこの水は、ＳＩが−１以下なので、腐食性を示すものであった。
【００３２】
これと同じ水を遊離炭酸除去装置１０で処理すると、（１）式の反応が効率良く右方向へ進行し、水和化する炭酸カルシウムが増えるので、カルシウム硬度が１７５〜２２０ｍｇＣａＣＯ３／ｌとなってカルシウム硬度係数Ｃが１．９に、アルカリ度Ｄが２．３になり、ＳＩ＝７．１−７．３＝−０．２となった。なお、ＳＩは、−１以上であれば防食効果が期待できるとされている。なお、遊離炭酸除去装置１０から出た後は、（１）式の化学反応が左方向へゆるやかに進行し、炭酸カルシウムの皮膜が管壁等に付着して水と管壁との接触を断ち、防食効果を得ることができる。
【００３３】
以上、実施の形態に基づいて本発明を説明したが、本発明は実施の形態で例示したものに限定されず、本発明の趣旨を逸脱しない範囲での々の変形された態様を含むものである。すなわち、印加電圧、周波数、電極の形状や配置態様、溶解槽の構造等は実施の形態で示したものに限定されるものではない。
【００３４】
また実施の形態では、入水計測手段５０の計測値に基づくフィードフォワード制御と吐水計測手段６０の計測値に基づくフィードバック制御とを併用したが、いずれか一方の制御だけを採用してもよい。たとえば、動作開始当初に吐出される水のランゲリア指数が目標値から外れることを許容すれば、フィードバック制御のみを採用してもよい。また、吐出される水のランゲリア指数またはその代わりとなるものの値を測定し、その測定結果に基づいて、電極２０への印加電圧や周波数を手動で調整するように構成してもよい。
【００３５】
さらに対となる電極はどちらか一方のみで、他方は水管２２自体を電極としてもよい。又電極をなくして絶縁された２つの水管２２自体を２つの電極としてもよい。つまり、水に電気を流せれば、電極の形状にはこだわらない。
【００３６】
本実施の形態では、浄水場の取水部分に遊離炭酸を除去する装置を設けたが、たとえば、マンションの取水部分に本装置を取り付けても良い。さらに給湯器の給水接続部に取り付けても、給湯器に内蔵させてもかまわない。さらに上水に限らず工業用水の用途として工場や発電所の地下水取水口に本装置を取り付けて、工業用水用の配管や冷却系の配管の腐食防止に用いてもよい。
【００３７】
実施の形態では、遊離炭酸除去装置１０にポンプ１２を内蔵したが、ポンプなど原水を遊離炭酸除去装置１０へ送り込むための装置を遊離炭酸除去装置１０と別体に設けても差し支えない。
【００３８】
このほか、実施の形態では、入水に対して電気処理、溶解処理の順で処理を施したが、これらは逆順であってもよい。また、電気処理と溶解処理を一箇所で同時に行うように構成してもよい。たとえば、電極２０の間に炭酸カルシウムを配置する等である。
【００３９】
【発明の効果】
本発明にかかる遊離炭酸除去装置によれば、水に交流電流を流す電気処理と水に炭酸カルシウムや消石灰を溶解する溶解処理とを施すので、電気処理を施さない場合に比べて炭酸カルシウム等の溶解反応が促進され、侵食性遊離炭酸を効率よく迅速に水酸化塩に変化させることができる。その結果、従来は設けていた、溶解反応を充分に行わせるために水を長時間水槽に貯留する処理や、反応を促進するために炭酸カルシウムの水溶液を予め作成して混合する処理や、エアレーション処理等が不要になり、装置の小型化と低価格化を図ることができる。また、電気処理を施すことにより、溶解処理が促進されるので、処理対象の水を連続通水しながら侵食性遊離炭酸を除去することができる。
【００４０】
電圧印加手段による印加電圧と周波数の双方または一方を設定変更し得るように構成したものでは、電気処理と溶解処理とを施した後の水のランゲリア指数が適切な値になるように調整することができる。
【００４１】
電気処理と溶解処理とを施した後の水のランゲリア指数またはこれに代わるものの値を計測し、その値が所定値になるように印加電圧と周波数の双方またはいずれか一方をフィードバック制御するものでは、吐出する水の水質を好ましいランゲリア指数に自動調整することができる。
【００４２】
さらに、電気処理や溶解処理を施す前の入水のランゲリア指数またはこれに代わるものの値を計測し、その値に基づいて印加電圧と周波数の双方またはいずれか一方をフィードフォワード制御するものでは、好ましいランゲリア指数の水を当初から吐出することが可能になる。
【図面の簡単な説明】
【図１】本発明の一実施の形態に係る遊離炭酸除去装置の概略構成を示す説明図である。
【図２】本発明の一実施の形態に係る遊離炭酸除去装置の電圧印加用水管を示す断面図である。
【図３】ランゲリア指数を求めるための係数換算表を示す説明図である。
【符号の説明】
１０…遊離炭酸除去装置
１２…ポンプ
２０…電極
２２…電圧印加用水管
２３…電極接続部
３０…電圧印加手段
３１…制御回路
３２…発信回路
３３…ドライブ回路
４０…溶解水槽
４１…入水口
４２…出水口
５０…入水計測手段
６０…吐水計測手段
【図１】
0003713245.tif 000002
【図２】
0003713245.tif 000003
【図３】
0003713245.tif 000004